(57)【要約】【課題】下水流入部に至る下水道からの臭気が下水処理場やポンプ場に入るのを抑制して、下水処理場やポンプ場の環境向上に寄与することができる下水処理場やポンプ場の防臭装置を提供する。【解決手段】下水処理場やポンプ場１の下水流入部２の水面ＷＬにフロート４を浮上させ、このフロート４に下水流入部２の幅方向にのびる防臭スクリーン５の下端部５０を取付け、防臭スクリーン５の基端部５１はロール７に取付けてロール状に巻回する。ロール７は繰出し・巻取り手段８に回転自在に保持し、水面ＷＬの変動に伴って防臭スクリーン５の繰り出し方向と巻き取り方向に正逆回転させることで、下水処理場やポンプ場１の水面上位の空間１０と下水流入部２の水面上位の空間１１との互いの連通状態を遮断する。【選択図】　　　　図１
2004050150.tif 000002
【特許請求の範囲】
【請求項１】
下水処理場やポンプ場の下水流入部の水面に浮上するフロートと、このフロートに先端部が取付けられた前記下水流入部の幅方向にのびる防臭スクリーンと、この防臭スクリーンの基端部を取付けてロール状に巻回したロールと、このロールを回転自在に保持するとともに、前記水面の変動による前記フロートの昇降に伴って該ロールを防臭スクリーンの繰り出し方向と巻き取り方向に正逆回転させる繰出し・巻取り手段とを備えていることを特徴とする下水処理場やポンプ場の防臭装置。
【発明の詳細な説明】
【０００１】
【発明の属する技術分野】
本発明は、下水道からの臭気が下水処理場やポンプ場に入るのを抑制する下水処理場やポンプ場の防臭装置に関するものである。
【０００２】
【従来の技術】
従来より、たとえば図７に示す下水処理場やポンプ場１の下水流入部２には、防臭装置が設置されていなかった。
【０００３】
【発明が解決しようとする課題】
このように、防臭装置が設置されていない従来の下水処理場やポンプ場１では、下水流入部２に至る下水道３からの臭気が下水処理場やポンプ場１に入って、環境を劣悪にする難点がある。
【０００４】
本発明は、このような事情に鑑みてなされたもので、下水流入部に至る下水道からの臭気が下水処理場やポンプ場に入るのを抑制して、下水処理場やポンプ場の環境向上に寄与することができる下水処理場やポンプ場の防臭装置を提供することを目的としている。
【０００５】
【課題を解決するための手段】
前記目的を達成するために、本発明に係る下水処理場やポンプ場の防臭装置は、下水処理場やポンプ場の下水流入部の水面に浮上するフロートと、このフロートに先端部が取付けられた前記下水流入部の幅方向にのびる防臭スクリーンと、この防臭スクリーンの基端部を取付けてロール状に巻回したロールと、このロールを回転自在に保持するとともに、前記水面の変動による前記フロートの昇降に伴って該ロールを防臭スクリーンの繰り出し方向と巻き取り方向に正逆回転させる繰出し・巻取り手段とを備えていることを特徴としている。
【０００６】
本発明によれば、下水処理場やポンプ場の水面上位の空間と下水流入部の水面上位の空間との互いの連通状態がロールから繰り出されてその先端部をフロートに取付けた防臭スクリーンによって遮られるので、前記下水流入部に至る下水道からの臭気が下水処理場やポンプ場に入るのを抑制できる。
また、水面（水位）の変動によるフロートの昇降に伴って、繰出し・巻取り手段によってロールを防臭スクリーンの繰り出し方向と巻き取り方向に正逆回転させることができるので、下水流入部の水位が変動しても、この水位変動に影響されることなく、防臭スクリーンによって下水処理場やポンプ場の水面上位の空間と下水流入部の水面上位の空間との互いの連通状態を常時遮ることができる。
【０００７】
【発明の実施の形態】
以下、本発明の一実施の形態を図面に基づいて説明する。図１は、本発明の一実施の形態を示す縦断側面図、図２は、図１のＡ−Ａ線に沿う拡大断面図である。なお、図７で説明した従来例と同一もしくは相当部分には、同一符号を付して説明する。
【０００８】
図１および図２において、１は下水処理場やポンプ場で、この下水処理場やポンプ場１には、下水道３を流下してきた下水Ｗが下水流入部２から流入し、下水処理場１では下水処理されて下流域に排出される。また、ポンプ場１では、図示していないポンプによって下水Ｗを下流域に排出する。４は複数個のフロートで、これらフロート４には、防臭スクリーン５の下端部（先端部）５０を取付けてある。防臭スクリーン５は樹脂製のシート材によってなり、その幅方向の寸法を下水流入部２の幅方向の寸法よりも僅かに小さい値、つまり、下水流入部２の両側壁２Ａ，２Ａとの間に小さい隙間６，６が形成される値に設定されており、その下端部５０は、上向きの凹部５０Ａと下向きの凸部５０Ｂが幅方向で交互に連続する凹凸状に形成され、上向きの凹部５０Ａにフロート４の上部分を嵌め込んだ状態でフロート４に取付けてある。
【０００９】
防臭スクリーン５は、図３〜図５に示すように、ロール７の外周にロール状に巻回されて、その基端部５１をロール７に取付けてあり、ロール７は、図１および図２の水面ＷＬの変動によるフロート４の昇降に伴って、ロール７を防臭スクリーン５の繰り出し方向と巻き取り方向に正逆回転させる繰出し・巻取り手段８に回転自在に保持されている。
【００１０】
図３〜図５において、繰出し・巻取り手段８は、たとえば、軸受８０，８０を介してロール７の軸方向両端部を回転自在に支持するロール軸８１と、ロール７の内部でロール軸８１を挿通したつる巻きバネ８２と、ロール軸８１の軸方向両端角形部８１Ａ，８１Ａを嵌合して、該ロール軸８１を回転不能に保持する保持脚８３，８３と、これら保持脚８３，８３を下水流入部２上位の立壁面９に取付けるブラケット８４とを備え、つる巻きばね８２は、その一端部８２Ａをロール７側に係止し、他端部８２Ｂをロール軸８１側に係止して、ねじりバネ力をロール７に付勢できるように構成されている。
【００１１】
つる巻きばね８２のねじりバネ力は、フロート４が水面ＷＬに浮上している時の主としてフロート４の重力に平衡する値に設定されている。このため、図６において実線で示すように、フロート４が喫水ｈを有して水面ＷＬに浮上している状態では、つる巻きばね８２のねじりバネ力がフロート４の重力に平衡し、繰出し・巻取り手段８は停止している。
【００１２】
今、実線で示す水面ＷＬが一点鎖線で示すレベルＷＬ１まで低下して、実線で示すフロート４の喫水がｈ１になって（ｈ＞ｈ１）、フロート４の重力がつる巻きばね８２のねじりバネ力よりも大きくなると、ねじりバネ力に抗してフロート４が一点鎖線で示すレベルに向けて下降しながら防臭スクリーン５を下向きに引っ張って、ロール７を防臭スクリーン５の繰り出し方向に回転させ、フロート４が一点鎖線のレベルまで下降して、フロート４の喫水が基準値ｈに回復してつる巻きばね８２のねじりバネ力に平衡する状態になるまで防臭スクリーン５の繰り出しがなされる。
【００１３】
一方、図５において実線で示すように、フロート４が喫水ｈを有して水面ＷＬに浮上している状態で、水面ＷＬが二点鎖線で示すレベルＷＬ２まで上昇して、実線で示すフロート４の喫水がｈ２になって（ｈ＜ｈ２）、フロート４の重力がつる巻きばね８２のねじりバネ力よりも小さくなると、つる巻きばね８２のねじりバネ力によりロール７を防臭スクリーン５の巻き取り方向に回転させ、フロート４を二点鎖線のレベルまで上昇させて、フロート４の喫水が基準値ｈに回復してつる巻きばね８２のねじりバネ力に平衡する状態になるまで防臭スクリーン５の巻き取りがなされる。
【００１４】
前記構成によれば、図１および図２における下水処理場やポンプ場１の水面上位の空間１０と下水流入部２の水面上位の空間１１との互いの連通状態がロール７から繰り出されてその下端部５０をフロート４に取付けた防臭スクリーン５によって遮られるので、下水流入部２に至る下水道３からの臭気が下水処理場やポンプ場１に入るのを抑制して、下水処理場やポンプ場１の環境向上に寄与することができるできる。
【００１５】
また、水面（水位）ＷＬが変動しても、この変動によるフロート４の昇降に伴って、前述のように繰出し・巻取り手段８によってロール７を防臭スクリーン５の繰り出し方向と巻き取り方向に正逆回転させることができるので、下水流入部２の水位が変動しても、この水位変動に影響されることなく、防臭スクリーン５によって下水処理場やポンプ場１の水面上位の空間１０と下水流入部２の水面上位の空間１１との互いの連通状態を常時遮ることができるので、下水流入部２に至る下水道３からの臭気が下水処理場やポンプ場１に入るのを抑制して、下水処理場やポンプ場１の環境向上に寄与することが可能である。
【００１６】
なお、繰出し・巻取り手段８は、前記実施の形態のみに限定されるものではなく、周知の数種類の繰出し・巻取り手段８から適宜選択した機種を採用することができる。
【００１７】
【発明の効果】
以上説明したように、本発明の下水処理場やポンプ場の防臭装置は構成されているので、以下のような格別の効果を奏する。
【００１８】
すなわち、下水処理場やポンプ場の水面上位の空間と下水流入部の水面上位の空間との互いの連通状態は、水面（水位）の如何にかかわらず防臭スクリーンによって遮られるので、下水流入部に至る下水道からの臭気が下水処理場やポンプ場に入るのを抑制して、下水処理場やポンプ場の環境向上に寄与することができる。
【図面の簡単な説明】
【図１】本発明の一実施の形態を示す縦断側面図である。
【図２】図１のＡ−Ａ線に沿う拡大断面図である。
【図３】繰出し・巻取り手段の一例を示す正面図である。
【図４】図３の左側面図である。
【図５】図３の内部構造の一例を示す縦断正面図である。
【図６】水位の変動に伴うフロートの昇降と繰出し・巻取り手段の作動説明図である。
【図７】図１に相当する従来例の縦断側面図である。
【符号の説明】
１　下水処理場やポンプ場
２　下水流入部
４　フロート
５　防臭スクリーン
７　ロール
８　繰出し・巻取り手段
５０　防臭スクリーンの下端部（先端部）
５１　防臭スクリーンの基端部
ＷＬ　水面
【図１】
2004050150.tif 000003
【図２】
2004050150.tif 000004
【図３】
2004050150.tif 000005
【図４】
2004050150.tif 000006
【図５】
2004050150.tif 000007
【図６】
2004050150.tif 000008
【図７】
2004050150.tif 000009